【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
座インナーシェルにクッションを張った座と、前記座インナーシェルを下から支持する座アウターシェルとを有しており、
前記座インナーシェルの前部を下向きに巻き込み可能な変形許容部と成すことにより、前記座の前後長さを調節可能になっている一方、
前記座アウターシェルは、当該固定アウターシェルの少なくとも後ろ側半分を構成する固定アウターシェルと、前記固定アウターシェルの手前に突出した部分を有するスライドアウターシェルとで構成されており、
前記座インナーシェルのうち前記変形許容部よりも後ろの部分は、前記固定アウターシェルに前後相対動不能に取り付けられており、前記座インナーシェルの前部は、前記スライドアウターシェルが後退動すると下向きに巻き込まれるように曲がり変形し、スライドアウターシェルが前進すると伸びるように変形する構成であって、
前記スライドアウターシェルは、左右両側部に設けたレール部によって前記固定アウターシェルに前後スライド自在に保持されており、前記スライドアウターシェルのうち前記左右レール部の間の部位は、前記座インナーシェルを広い範囲にわたって支持し得るように面的な広がりを持っており、前記面的な広がりを持っている部分は、前進しきった状態でもその後部が前記固定アウターシェルと平面視で重なっている、
椅子。
【請求項２】
前記座インナーシェルの変形許容部には左右横長のスリットが前後多列に形成されており、前記スリットを挟んで前後に分かれた部分を側面視凸形のブリッジ部で連結することにより、前記変形許容部を前後方向に大きく伸ばし変形させることが許容されている、
請求項１に記載した椅子。
【手続補正２】
【補正対象書類名】明細書
【補正対象項目名】全文
【補正方法】変更
【補正の内容】
【発明の詳細な説明】
【発明の名称】椅子
【技術分野】
【０００１】
本願発明は、椅子に関するものである。
【背景技術】
【０００２】
椅子において、座の前後長さ（前端の奥行き）を調節する技術として、例えば特許文献１〜３に開示されているように、座の前部を下側に巻き込む方式が提案されている。これらの従来技術では、座の前部を変形許容部と成して、変形許容部の前端を左右横長のフロントバーに固定し、フロントバーを前後動させることにより、変形許容部を巻き込んだり伸ばしたりしている。フロントバーの左右両端部には後ろ向きに延びるサイドバーが固定されており、サイドバーは、受け部材で前後スライド自在に支持されている。
【先行技術文献】
【特許文献】
【０００３】
【特許文献１】特公平０7 −７７５６７号公報
【特許文献２】実用新案登録第３０７６８６２号公報
【特許文献３】特表２０１０−５１６４３３号公報
【発明の概要】
【発明が解決しようとする課題】
【０００４】
座の前後長さを調節する操作方法としては、人が手で座の前端部に掴んで前後に押し引きしたり、或いは、別に設けた操作具でサイドバーを前後動させたりすることになるが、人が着座した状態では人の体圧がサイドバーに掛かることにより、着座した状態のままで前後長さを調節しにくくなり、そこで、座の前後長さを変えるに当たっては腰を浮かせた状態にせねばならないことがあり、このため、座の前後長さの調節（奥行き調節）が面倒であるという問題があった。
【０００５】
また、座は着座した人の身体を支えるものであるから、その全体にわたって高い支持強度を有すべきであるが、従来は、変形許容部はその前端がフロントバーで支持されているに過ぎないため、身体の支持強度や支持安定性が必ずしも十分でないと言える。更に、人は、着座した状態で大腿部を座の前端部に強く突っ張らせることがあるが、従来のように座の前端（変形許容部の前端）をフンロトバーに固定した構造では、フンロトバーで大腿部を突き上げる現象が生じて、座り心地が悪くなるおそれもあった。
【０００６】
本願発明はこのような現状に鑑み成されたものであり、座の前後長さ（前端の奥行き）を調節できる椅子において、支持強度や座り心地の向上、前後長さ調節の容易性等を図ることを目的とするものである。
【課題を解決するための手段】
【０００７】
本願発明の椅子は、座インナーシェルにクッションを張った座と、前記座インナーシェルを下から支持する座アウターシェルとを有しており、前記座インナーシェルの前部を下向きに巻き込み可能な変形許容部と成すことにより、前記座の前後長さを調節可能になっている。
【０００８】
そして、前記座アウターシェルは、当該固定アウターシェルの少なくとも後ろ側半分を構成する固定アウターシェルと、前記固定アウターシェルの手前に突出した部分を有するスライドアウターシェルとで構成されており、前記座インナーシェルのうち前記変形許容部よりも後ろの部分は、前記固定アウターシェルに前後相対動不能に取り付けられており、前記座インナーシェルの前部は、前記スライドアウターシェルが後退動すると下向きに巻き込まれるように曲がり変形し、スライドアウターシェルが前進すると伸びるように変形するようになっている。
【０００９】
更に、前記スライドアウターシェルは、左右両側部に設けたレール部によって前記固定アウターシェルに前後スライド自在に保持されており、前記スライドアウターシェルのうち前記左右レール部の間の部位は、前記座インナーシェルを広い範囲にわたって支持し得るように面的な広がりを持っており、前記面的な広がりを持っている部分は、前進しきった状態でもその後部が前記固定アウターシェルと平面視で重なっている。
【００１０】
【００１１】
【００１２】
請求項２の発明は、請求項１において、前記座インナーシェルの変形許容部には左右横長のスリットが前後多列に形成されており、前記スリットを挟んで前後に分かれた部分を側面視凸形のブリッジ部で連結することにより、前記変形許容部を前後方向に大きく伸ばし変形させることが許容されている。
【発明の効果】
【００１３】
本願発明では、スライドアウターを前後動させることで座の前後長さが変わるが、固定アウターシェルは少なくとも後ろ半分を構成しているため、例えば、人が背中を背もたれに当てた通常の着座状態で、着座した人の体圧の大部分を固定アウターシェルで支持できる。そして、着座者の体圧を主として前記固定アウターシェルで支持した状態で、座インナーシェルでスライドアウターシェルが上から押圧されることはないため、人が普通に腰掛けた状態では、スライドアウターシェルに荷重が作用することは全く又は殆どなく、その結果、着座した状態のままで座の前後長さを調節することができる。このため、操作性に優れていてユーザーフレンドリーである。
【００１４】
また、本願発明では、スライドアウターシェルは面的な広がりを持っているため、着座者の体圧が座の前部に作用しても、座インナーシェルは過度に変形することなくスライドアウターシェルでしっかりと支持される。このため、支持強度に優れている。また、座インナーシェルが着座した人の体圧で沈み込んでスライドアウターシェルに当たった場合、座インナーシェルはスライドアウターシェルによって広い面積で支持されるため、座インナーシェルが局部的に大きく変形して人の大腿部に突き上げ感を与えるような不具合はなく、このため座り心地に優れている。つまり、強度や座り心地を犠牲にすることなく、座の前後長さを調節できる。
【００１５】
【００１６】
【００１７】
請求項４の構成を採用すると、座インナーシェルの変形許容部は前後方向に伸び変形するため、当該変形許容部を折り返すように変形させることを軽い力で容易に実現できる。つまり、スライドアウターシェルを後退させて変形許容部を曲げ変形させるにおいて、曲がりの曲率を大きくした状態で折り返す（巻き込む）ことができるため、折り返し（巻き込み）に対する抵抗が小さく、このため座の長さ調節を軽い力で行えるのである。
【図面の簡単な説明】
【００１８】
【図１】実施形態に係る椅子を示しており、（Ａ）は前方から見た斜視図、（Ｂ）は後ろから見た斜視図、（Ｃ）は分離側面図である。
【図２】座及びその支持機構を上から見た分離斜視図である。
【図３】座と中間金具とを下方から見た分離斜視図である。
【図４】（Ａ）は座を裏返した状態での分離斜視図、（Ｂ）は座アウターシェルと中間金具との分離斜視図、（Ｃ）は座アウターシェルの部分拡大斜視図である。
【図５】座の分離斜視図である。
【図６】座の分離斜視図である。
【図７】（Ａ）は要部の平面図、（Ｂ）は（Ａ）の一部を側方から見た断面斜視図である。
【図８】（Ａ）は図７（Ａ）の VIIIA-VIIIA視断面図、（Ｂ）は図７（Ａ）をＢ−Ｂ視方向から見た断面斜視図、（Ｃ）は図７（Ａ）をＣ−Ｃ視方向から見た断面斜視図である。
【図９】（Ａ）は図７（Ａ）の IXA-IXA視断面図、（Ｂ）は図７（Ａ）の IXB-IXB視断面図である。
【図１０】（Ａ）は図７（Ａ）をXA−XA視方向から見た断面斜視図、（Ａ）は図７（Ａ）をXB−XB視方向から見た断面斜視図、（Ｃ）は図７（Ａ）をXC−XC視方向から見た断面斜視図である。
【図１１】（Ａ）は座調節用操作レバーが装着されている部分を上から見た斜視図、（Ｂ）は座調節用操作レバーと座アウターシェルとの分離斜視図である。
【図１２】（Ａ）は座調節用操作レバーとスライドアウターシェルとの分離斜視図、（Ｂ）は座調節用操作レバーの分離斜視図、（Ｃ）は座調節用操作レバーが装着されている部分を上から見た斜視図である。
【発明を実施するための形態】
【００１９】
次に、本願発明の実施形態を図面に基づいて説明する。以下の説明では方向を特定するため「前後」「左右」の文言を使用するが、この前後左右の文言は、着座した人を基準にしている。正面視方向は着座した人と対峙した方向であり、従って、正面視での左右と着座した人から見た左右とは逆になる。
【００２０】
(1).椅子の概略
まず、椅子を概要を主として図１〜図３に基づいて説明する。本実施形態は事務用等に多用されている回転椅子に適用しており、椅子は、脚支柱１（図１（Ｃ）参照）のみを表示している脚装置と、脚支柱１の上端に固定したベース２と、ベース２の上に配置した座３と、着座した人がもたれ掛かり得る背もたれ４とを有している。ベース２は上向きに開口した箱状に形成されている。座３の平面視形状は、４つのコーナー部を丸めた略四角形に形成されている。
【００２１】
例えば図２に示すように、ベース２の上に金属板製の中間金具（座受け金具）５が配置されており、この中間金具５に、座部の一部を構成する樹脂製の座アウターシェル６が取り付けられている。中間金具５を使用せずに、座アウターシェル６をベース２に連結することも可能である。
【００２２】
座３は、樹脂製の座インナーシェル（座板）７とその上面に重ね配置した座クッション材８とを有している。座クッション材８は、クロス等の表皮材（図示せず）で上から覆われている。座アウターシェル６は、中間金具５に固定された固定アウターシェル９と、その手前に突出したスライドアウターシェル１０とで構成されており、スライドアウターシェル１０は、固定アウターシェル９に前後動自在に取り付けられている。
【００２３】
また、座インナーシェル７のうち前側寄り部位は、側面視で下向きに容易に曲がり変形する変形許容部７ｃになっており、変形許容部７ｃの前端部がスライドアウターシェル１０の前端部に連結されている。このため、スライドアウターシェル１０を前後スライドさせると座インナーシェル７の変形許容部７ａが前向きに伸びたり下向きに巻き込まれたりする。これにより、座３の前後長さ（或いは座３の前端位置）を調節できる。
【００２４】
例えば図２に示すように、ベース２に、第１背フレーム１１が後傾動自在に連結されていると共に、第１背フレーム１１にはその後ろに位置した第２背フレーム１２が固定されており、第２背フレーム１２に背もたれ４が取り付けられている。例えば図２に示すように、第１背フレーム１１は、ベース２の外側位置で前向きに延びるアーム部１１ａを有しており、左右アーム部１１ａの前端部が左右横長の第１軸１３でベース２に連結されている。従って、背もたれ４は第１軸１３の軸心回りに傾動する。
【００２５】
本実施形態の椅子は、背もたれ４の後傾に連動して座３が後退しつつ後傾するシンクロタイプの椅子であり、そこで、図２から理解できるように、中間金具５の前部をベース２に設けた受け部材１４に前後動自在に装着する一方、中間金具５の後部は、第１背フレーム１１に上向き突設したブラケット部１５に左右横長の第２軸１６で連結されている。ベース２の内部には、背もたれ４の後傾動を弾性的に支持する反力ユニットや、背もたれ４の傾動を制御するロック用ガスシリンダ等が配置されているが、本願発明との直接の関係はないので、説明は省略する。
【００２６】
(2).中間金具と座アウターシェルとの関係
以下、主として図４以降の図面を参照して各部位の詳細を説明する。まず、中間金具５と座アウターシェル６との関係を説明する。例えば図３に示すように、中間金具５は概ね平面視四角形に近い形状であり、上板５ａと左右側板５ｂとを有している。第２軸１６は側板５ｂに貫通している。
【００２７】
図４に示すように、固定アウターシェル９には、中間金具５にすっぽり嵌まり込む凹所１８が形成されている。そして、中間金具５の上面の前端に、左右一対の前向きストッパー部１９を設けている一方、固定アウターシェル９における凹所１８の前端部には、前向きストッパー部１９が後ろから嵌まるトンネル形の受け部２０を一体に形成している。
【００２８】
更に、中間金具５における上板５ａの後端部に、左右横長で角形のロック穴２１を空けている一方、固定アウターシェル９における凹所１８の後端部に、ロック穴２１に嵌まるロック爪２２を下向きに突設している。ロック爪２２は、弾性変形してからロック穴２１に嵌まり込む。これにより、固定アウターシェル９は中間金具５に抜け不能に取り付けられる。つまり、固定アウターシェル９を、中間金具５にワンタッチ的に取り付けることができる。第２軸１６は固定アウターシェル９の凹所１８に入り込んでいるため、スナップリング等の部材を使用しなくても抜け止めすることができる。
【００２９】
(3).座インナーシェル
座インナーシェル７はＰＰ等の樹脂を材料にした成形品であり、例えば図６，７に明示するように、着座者の体圧が強く作用するメイン支持部７ａと、メイン支持部７ａの後ろに位置したリア支持部７ｂと、メイン支持部７ａの手前に位置した既述の変形許容部７ｃとで構成されている。大雑把には、メイン支持部７ａは前後長さのうちの半分弱を占め、リア支持部７ｂと変形許容部７ｃとは、それぞれ前後長さの１／４強程度の範囲を占めている。
【００３０】
例えば図６から理解できるように、座インナーシェル７は、正面視では上向き凹状に緩く湾曲しており、縦断側面視では、リア支持部７ｂが後ろに行くにしたがって高さが高くなるように緩く傾斜している。また、リア支持部７ｂの上面には、剛性を高くするため、縦横に延びるリブの群を上向きに突設している。
【００３１】
図７（Ａ）に明示するように、座インナーシェル７のメイン支持部７ａには、左右中間部に位置して前後に長いセンタースリット２４の群と、その外側に形成された平面視弧状の中間スリット２５の群と、中間スリット２５の外側に位置して前後方向に長く伸びるサイドスリット２６の群とが形成されている。かつ、メイン支持部７ａとリア支持部７ｂとは左右側部のみが連結されていて、両者の間には左右横長の抜き溝２７が形成されている。このため、メイン支持部７ａは、着座者の体圧で下向きに伸び変形することが許容されている。
【００３２】
例えば図６，７に示すように、座インナーシェル７の変形許容部７ｃには、横長のフロントスリット２８が左右方向に３列で前後方向に多列（多段）に形成されており、これらフロントスリット２８の群の存在により、変形許容部７ｃは、側面視で直線状に延びた姿勢から下向きに巻き込まれて折り返された姿勢に容易に変形することが許容されている。
【００３３】
変形許容部７ｃの左右中間部と左右端部とには、図８（Ａ）に示すように、側面視逆Ｕ形のブリッジ部２９が形成されており、フロントスリット２８を挟んで前後に分断された帯板状の部分はブリッジ部２９で繋がっている。この逆Ｕ形のブリッジ部２９の存在により、変形許容部７ｃは前後方向に大きく引き伸ばすことが可能になるため、巻き込み変形させることを抵抗なく確実に行える。従って、ブリッジ部２９は伸長部と呼ぶことも可能である。なお、左右外側に位置したフロントスリット２８は、変形許容部７ｃの側方に開口している。
【００３４】
図３に示すように、クッション８のうち変形許容部７ｃに重なる部分は、他の部分に比べてやや薄くなっている。このため、クッション８の前部は容易に変形する。本実施形態のクッション８は成形品であるが、シート材のカット品を使用することも可能である。
【００３５】
(4).座アウターシェル
座アウターシェル６を構成する固定アウターシェル９とスライドアウターシェル１０とは、ＰＰ等の樹脂を素材にした成形品である。例えば図８（Ａ）から理解できるように、固定アウターシェル９の前端は、座インナーシェル７における変形許容部７ｃの後部まで延びている（なお、図８（Ａ）ではスリットは省略している。）。すなわち、固定アウターシェル９は、平面視において、座インナーシェル７のメイン支持部７ａ及びリア支持部７ｂの全体に重なると共に、座インナーシェル７における変形許容部７ｃの後部に部分的に重なる前後長さになっている。
【００３６】
例えば図６から把握できるように、固定アウターシェル９は、正面で上向きに凹となるように緩く湾曲しており、後部は後ろ上がりに傾斜している。また、固定アウターシェル９の上面には、剛性を高めるために多数のリブが形成されている。固定アウターシェル９には、座インナーシェル７のメイン支持部７ａが大きく沈み込むことを許容するため、抜き穴３０が形成されている。
【００３７】
例えば図６に示すように、スライドアウターシェル１０は、固定アウターシェル９と略同じ左右横幅で面的な広がりを持つ基部１０ａと、基部１０ａの左右両側部から後ろ向きに突出したアーム部１０ｂとを有している。基部１０ａは、前進させ切った状態でも後部は常に固定アウターシェル９に上から重なっており、後退させ切ると、基部１０ａの殆ど全体が固定アウターシェル９に重なる。アーム部１０ｂは、常に固定アウターシェル９に上から重なっている。
【００３８】
スライドアウターシェル１０の基部１０ａは基本的には板状であり（格子状でもよい）、上面には、補強用のリブが縦横に延びるように形成されている。そして、図６や図９（Ａ）等に示すように、固定アウターシェル９の前端寄り部位に、頭を有する正面視Ｔ型の第１ガイド突起３１を複数個突設している一方、スライドアウターシェル１０の基部１０ａには、第１ガイド突起３１が抜け不能で前後動自在に嵌まる前後長手のガイド長穴３２を形成している。第１ガイド突起３１とガイド長穴３２とにより、第１ガイド手段が構成されている。第１ガイド突起３１とガイド長穴３２とは、左右方向に飛び飛びに４個ずつ形成されているが、個数や位置は任意に設定できる。
【００３９】
図６から理解できるように、各ガイド長穴３２の後端部は、第１ガイド突起３１の頭が嵌脱する広幅部３２ａになっている。このため、広幅部３２ａの箇所からガイド長穴３２を第１ガイド突起３１に嵌め込み、次いで、スライドアウターシェル１０を後ろにスライドさせることにより、スライドアウターシェル１０の基部１０ａは、固定アウターシェル１０に抜け不能に保持される。
【００４０】
図９（Ｂ）（図６も参照）に示すように、スライドアウターシェル１０のアーム部１０ｂには、正断面視で下向きと上向きとに開口したクランク形で前後長手のガイド溝３３が形成されている一方、固定アウターシェル９には、ガイド溝３３に抜け不能に嵌まる略逆Ｌ形の第２ガイド突起３４を一体に設けている。第２ガイド突起３４とガイド溝３３とは第２ガイド手段の一例を構成している。ガイド溝３３には、下向き開口位置と上向き開口位置とを左右にずらすことにより、左右外向きに突出した支持部３３ａが形成されている。他方、第２ガイド突起３４には、支持部３３ａの上に位置する内向き鉤部３４ａ形成している。図１２に示すように、ガイド溝３３の後端部は、第２ガイド突起３４の嵌め込みを許容するための広幅部３３ｂになっている。
【００４１】
図９，図１０（Ｃ）に示すように、アーム部１０ｂの下端には細幅の凸レール部３５が形成されている一方、固定アウターシェル９には、凸レール部３５がスライド自在に嵌まる凹レール部３６が形成されており、これらレール部３５，３６が嵌まり合っていることにより、スライドアウターシェル１０の左右位置が規制されている。凸レール部３５は固定アウターシェル９の前端近くまで延びており、凹レール部３６は、スライドアウターシェル１０の前端近くまで延びている。
【００４２】
(5).座インナーシェルと座アウターシェルとの関係
座インナーシェル７は、座アウターシェル６の固定アウターシェル９とスライドアウターシェル１０との両方に連結されている。この点を次に説明する。
【００４３】
図６や図１０（Ｂ）に示すように、固定アウターシェル９のうち左右両側縁寄りの部位でかつ略後半部には、前後に長いレール状のサイド支持部（サイド突条）３８を形成しており、このサイド支持部３８に、座インナーシェル７の支持リブ３９が載っている。また、図１０（Ｂ）に示すように、座インナーシェル７におけるメイン支持部７ａのうち、支持リブ３９の外側には水平状の段部４０が形成されており、段部４０の下側にスライドアウターシェル１０のアーム部１０ｂが配置されていると共に、段部４０の内側壁の部位に内向きのストッパー片４１を形成している。ストッパー片４１は、上下に開口した抜き穴４２で三方から囲われている（抜き穴４２に三方から露出している。）。
【００４４】
そして、固定アウターシェル９の突条３８に、ストッパー片４１に上から被さる抑止片４３を一体に設けている。すなわち、座インナーシェル７におけるメイン支持部７ａの左右両端部は内向き移動不能に保持されており、このため、メイン支持部７ａは、着座した人の荷重によって下向きに沈むように変形する。また、メイン支持部７ａの左右両側部はサイド支持部３８で下降不能に保持されているため、人が着座しても、スライドアウターシェル１０のアーム部１０ｂが座インナーシェル７のメイン支持部７ａで下向きに押されることはない。従って、着座した状態で、スライドアウターシェル１０のアーム部１０ｂを容易に前後スライドさせ得る。
【００４５】
抜き穴４２はストッパー片４１の後方にはみ出ており、このため、座インナーシェル７を所定位置よりもやや手前に位置させてから固定アウターシェル９に重ねることにより、抑止片４３を抜き穴４２の後部に嵌め込むことができる。その状態で座インナーシェル７を後ろにずらすと、抑止片４３がストッパー片４１の上に位置する。
【００４６】
図１０（Ｃ）に示すように、座インナーシェル７におけるメイン支持部７ａの左右両側端部には、スライドアウターシェル１０のアーム部１０ｂに向いて内向き突出した支持片４４を、前後方向に隔てて複数個形成している。支持片４４は、表皮材を取り付けるためのものであるが、座インナーシェル７の支持機能を保持させることも可能である。なお、座インナーシェル７の左右縁部が内向きにずれ移動することを阻止するサイドリブを別に設けてもよい。
【００４７】
図１０（Ａ）に示すように、固定アウターシェル９の左右後部に、上部が二股に形成された鉤形のリア係合爪４５を設けている一方、座インナーシェル７のリア支持部７ｂには、リア係合爪４５に上から嵌まり係合するリア係合穴４６を形成している。このリア係合穴４６も、座インナーシェル７を固定アウターシェル９に重ねてから後ろにずらすことにより、リア係合爪４５に係合する。
【００４８】
図８（Ｄ）に示すように、座インナーシェル７におけるリア支持部７ｂの左右中間部には、前端を自由端として下向きに突出させたセンター係止片４７を設けている一方、固定アウターシェル９には、センター係止片４７が前向き動不能に嵌まるセンター受け部４８を凹み形成している。センター係止片４７は、その付け根を除いた３方がスリットで囲われており、このため、センター係止片４７は、付け根を支点にして上下に回動し得る。また、センター受け部４８には穴４９が開口している。従って、センター係止片４７は、例えばドライバーのような道具で上向きに突き上げることで、センター受け部４８から離脱させることができる。
【００４９】
図７に示すように、固定アウターシェル９のうちセンター受け部４８の左右外側の部位に、平面視四角形のサイド係合部４９を形成し、このサイド係合部４９に、座インナーシェル７のリア支持部７ｂに設けたサイド係合穴５０が嵌まっている。これにより、座インナーシェル７の後ろ向き移動が規制されている。結局、座インナーシェル７は、センター係止片４７とサイド係合部４９とで前後ずれ不能に保持されている。
【００５０】
サイド係合部４９の箇所に、中間金具５に取り付けるためのロック爪２２（図４も参照）を設けている。ロック爪２２には、上向きに突出する指掛け片２２ａを設けている。このため、座３を取り外して指掛け片２２ａを手前に引くことで、ロック爪２２を中間金具５から係合解除できる。
【００５１】
座インナーシェル７の前端部の連結構造は、図８（Ｂ）に示している。すなわち、座インナーシェル７における変形許容部７ｃのうち中心線を挟んだ左右両側の２カ所に、左右の下向きブラケット部片５３を介して支軸５４を一体に形成する一方、スライドアウターシェル１０の前端には、支軸５４が上から嵌まる軸受け部５５を一体に設けている。支軸５４と軸受け部５５とは相対回転し得る。
【００５２】
従って、スライドアウターシェル１０を後退させると変形許容部７ｃの前端は後ろに引かれる。このため、変形許容部７ｃは、折り返されたような状態で下方に巻き込まれる。これにより、座３の前端位置を変更して前後長さ（前端の奥行き）を調節できる。支軸５４及び軸受け部５５の対の配置位置は左右２カ所には限らず、中間部と左右両側との３カ所に設けるなど、個数と配置位置は任意に設定できる。また、支軸５４をスライドアウターシェル１０に設けて、軸受け部５５を座インナーシェル７の変形許容部７ｃに設けることも可能である。更に、他の連結手段を採用してもよい。
【００５３】
図８（Ｃ）に示すように、座インナーシェル７における変形許容部７ｃの前端には、後ろ向きに突出したフロントストッパー５６を設けている。これは、座クッション８を覆う表皮材を取り付けるためのものである。
【００５４】
(6).座の長さ調節（奥行き調節）操作機構
次に、座３の前後座長さ調節の操作装置を、主として図１１，１２に基づいて説明する。例えば図１２（Ｂ）に示すように、操作装置は、スライドアウターシェル１０の右側部に前後動自在に装着した指当てレバー５８と、指当てレバー５８の前後動によって左右スライドするロック部材５９と、ロック部材５９をロック姿勢に付勢するばね（圧縮コイルばね）６０とを有する。指当てレバー５８とロック部材５９とは樹脂製である。
【００５５】
図１２（Ａ）（Ｃ）に明瞭に示すように、スライドアウターシェル１０の左右側部の下面は、内側に向けて低くなるように傾斜しており、この傾斜した下面に底面がフラットな凹所６１を形成し、この凹所６１に、指当てレバー５８が前後動自在に配置されている。指当てレバー５８は、凹所６１の底面に重なる上板５８ａと、この上板５８ａから下向きに突出した摘まみ部５８ｂとを有しており、上板５８ａに、スライドアウターシェル１０の上に露出する正面視Ｔ形の係合突起６３を一体に形成している。スライドアウターシェル１０には、係合突起６３が抜け不能に嵌まる前後長手の取り付け穴６４を形成している。取り付け穴６４の前端には、係合突起６３が嵌脱自在な幅広部６４ａを形成している。
【００５６】
ロック部材５９は左右長手のロッド状の形態であり、スライドアウターシェル１０の下面に設けた左右長手のガイド溝６５にスライド自在に嵌まっている。ガイド溝６５と凹所６１とは、一体に連続している。また、ガイド溝６５は、凸レール部３５を分断した状態で形成されている。
【００５７】
図１２（Ｂ）に示すように、ロック部材５９のうち指当てレバー５８に向いた外側端部は、底面視Ｕ型の当接部５９ａになっている一方、指当てレバー５８には、ロック部材５９の当接部５９ａを下方から覆う凹所６６が形成されており、凹所６６の内側面を、底面視Ｖ字状の傾斜面６６ａと成している。すなわち、凹所６６の内側面を、ロック部材５９の方向に向いて間隔が広がるように傾斜した前後２つの傾斜面６６ａと成している。
【００５８】
ロック部材５９の上面にはばね６０が嵌まる溝６７を形成しており、ばね６０の一端は、ガイド溝６５の内側面６５ａに当接している。従って、ロック部材５９は、外向きに（指当てレバー５８に向いた方向に）付勢されている。そして、指当てレバー５８の凹所６６はＶ形になっているので、指当てレバー５８に外力が作用していない場合は、ロック部材５９は外側に後退して当接部５９ａが凹所６６の深い位置に嵌まり、安定した状態に保持されている。他方、指当てレバー５８を前後いずれかにスライドさせると、傾斜面６６ａのガイド作用によって、ロック部材５９が内側に前進動する。
【００５９】
ロック部材５９の内端部には、固定アウターシェル９に向いて下向き突出したストッパー突起６８を一体に設けている。他方、固定アウターシェル９には、ロック部材５９が左右動するとストッパー突起６８が嵌脱するストッパー受け部６９を設けている。ストッパー受け部６９は、前後長手の縦リブ７０に内向きリブを飛び飛びに設けることで構成されており、本実施形態では、５つのストッパー受け部６９を前後に並べて形成している。従って、座３の前後長さを５段階に調節できる。ストッパー受け部６９を形成している縦リブ７０は、座インナーシェル７のメイン支持部７ａ及びリア支持部７ｂが載るサイド支持部３８と一体に繋がっており、縦リブ７０は、サイド支持部３８から段落ちした状態になっている。
【００６０】
例えば図３に示すように、スライドアウターシェル１０のうち、スライド式の指当てレバー５８と左右対称の位置には、スライド式の指当てレバー５８と同じ形状の指当て突起７１を一体に形成している。このため、座３の前後調節を、こじれのない状態でスムースに行える。スライド式の指当てレバー５８をスライドアウターシェル１０の左右両側部に設けることも可能である。スライド式の指当てレバー５８を左右に設けた場合、ロック部材５９を左右に設けることも可能であるし、ロック部材５９は片側だけに設けて、片方のスライド式の指当てレバー５８はダミーとすることも可能である。
【００６１】
(7).まとめ
既に説明したように、着座した人が指当てレバー５８及び指当て突起７１に指先を当てて（或いは摘んで）、指当てレバー５８及び指当て突起７１を前後動させると、スライドアウターシェル１０が前後動する。これにより、座インナーシェル７の変形許容部７ｃが巻き込み変形したり伸び変形したりして、座３の前端の位置（座３の前後長さ）を調節することができる。
【００６２】
そして、既述のように、座インナーシェル７におけるメイン支持部７ａの左右両側部が、サイド支持部３８に載った状態に保持されていることにより、スライドアウターシェル１０のアーム部１０ａには着座者の体圧は全く又は殆ど作用しないため、座３の前後調節を着座したままで軽快に行うことができる。なお、着座者の大腿部が座インナーシェル７の変形許容部７ｃに上から当たっていることは有り得るが、変形許容部７ｃは伸びたり巻き込まれたり変形するに過ぎず、前後移動するものではないため、着座者の大腿部が座インナーシェル７に当たっていることは、座３の前後調節の抵抗にはならない。
【００６３】
さて、座の前後調節や奥行き調節のために操作レバーを設ける場合、従来は、例えばレバーを上向きに回動させてからロックを解除し、それからレバー又は座を前後いずれかの方向に移動させるという手順を取っている。すなわち、人の手の動きを見ると、方向が異なる２つの動きをしている。
【００６４】
これに対して本実施形態では、指当てレバー５８を前後いずれの方向に移動させてもロック部材５９はストッパー受け部６９から離脱し、ロックが解除されてそのままスライドアウターシェル１０を前後動させることができる。従って、人が座３の奥行きを調節するに当たっては、スライドアウターシェル１０を動かしたい方向に指当てレバー５８を動かすことでロックが解除されるため、ロック解除とスライドアウターシェル１０の移動とをワンアクションで行うことができる。従って、操作性がよい。
【００６５】
本実施形態では、スライドアウターシェル１０の基部１０ａは基本的には板状であるため、座インナーシェル７の変形許容部７ｃを広い範囲で支持することができる。このため、人の大腿部が座３の前部に強く当たっても突き上げ感はなく、巻き込み式の座でありながら座り心地に優れている。
【００６６】
既述のとおり、本実施形態では、スライドアウターシェル１０は、固定アウターシェル９に重ねてから後ろにずらすという手順により、固定アウターシェル９に抜け不能に取り付けることができる。他方、座インナーシェル７の先端の支軸５４をスライドアウターシェル１０の軸受け５５に嵌め込むことは、スライドアウターシェル１０が固定アウターシェル９から上向き離反不能に保持されている状態で行われる。このため、座アウターシェル６の組み立てや座インナーシェル７の取り付けを簡単に行える（すなわち、椅子の組み立ての作業性に優れている。）。
【００６７】
本実施形態では、スライドアウターシェル１０は固定アウターシェル９に上から重なっているため、例えば座３の前部に体圧が強く掛かった場合でも、スライドアウターシェル１０は固定アウターシェル９に密着するように作用する。つまり、体圧が強くかかるほど、スライドアウターシェル１０が座アウターシェル９に一体化する傾向を呈する。このため、スライドアウターシェル１０が人の体圧によって固定アウターシェル９から離れることはない。従って、支持強度・支持安定性に優れている。
【００６８】
本実施形態では、スライドアウターシェル１０のアーム部１０ｂはサイド支持部３８の外側に配置されているため、座インナーシェル７でアーム部１０ｂが押されることを的確に防止できる。すなわち、座インナーシェル７のメイン支持部７ａはサイド支持部３８に載っているため、座インナーシェル７のうちサイド支持部３８の外側に位置した部分は、着座者の体圧で上に浮く傾向を呈するのであり、このため、座インナーシェル７でスライドアウターシェル１０が押さえられることを防止して、スライドアウターシェル１０を軽快に前後動させることができる。
【００６９】
本実施形態のように、アーム部１０ａの下端に設けた凸レール部３５と固定アウターシェル９に設けた凹レール部３６とを嵌合させると、スライドアウターシェル１０のガタ付きを無くすことができて好適である。
【００７０】
(8).その他
本願発明は、上記の実施形態の他にも様々に具体化できる。例えば、適用対象は移動自在な回転椅子には限らず、劇場用椅子のような固定式の椅子にも適用できる。座インナーシェルに変形許容部を設ける手段としては、必ずしも実施形態のようにスリットを形成する必要はなく、多数の折目を形成したり、全体的に変形する材料を使用したりすることも可能である。
【００７１】
座アウターシェルを構成する固定アウターシェルとスライドアウターシェルとの形態も、必要に応じて様々に具体化できる。例えば、アーム部を３本以上設けることも可能である。
【産業上の利用可能性】
【００７２】
本願発明は、椅子に具体化することができる。従って、産業上利用できる。
【符号の説明】
【００７３】
３  座
４  背もたれ
５  中間金具（座受け部材）
６  座アウターシェル
７  座インナーシェル
７ａ  メイン支持部
７ｂ  リア支持部
７ｃ  変形許容部（フロント支持部）
８  クッション
９  固定アウターシェル
１０  スライドアウターシェル
１０ａ  基部
１０ｂ  アーム部
２８  変形許容部に設けたフロントスリッ
２９  ブリッジ部
３１  第１ガイド手段を構成する第１ガイド突起
３２  第１ガイド手段を構成するガイド長穴
３３  第２ガイド手段を構成するガイド溝
３４  第２ガイド手段を構成する第２ガイド突起
３５  凸レール部
３６  凹レール部
３８  サイド支持部
【手続補正３】
【補正対象書類名】図面
【補正対象項目名】図７
【補正方法】変更
【補正の内容】
【図７】
2015171653.tif 000001
【手続補正４】
【補正対象書類名】図面
【補正対象項目名】図１２
【補正方法】変更
【補正の内容】
【図１２】
2015171653.tif 000002